(57)【特許請求の範囲】
【請求項１】
パルプと固形粒子を主構成要素とするシートにおいて、固形粒子の大きさが、ふるい残渣試験法（ＪＩＳ  Ｋ００６９）で、ふるい目開き１．０ｍｍ残渣が０（ゼロ）であって、ふるい目開き１．０ｍｍを通過し、且つ、ふるい目開き０．１４９ｍｍ残渣が４０〜６０重量％であることを特徴とする農業用マルチシート。
【請求項２】
固形粒子が、固体形態を有する肥料であることを特徴とする請求項１記載の農業用マルチシート。
【請求項３】
肥料は、窒素成分を有する魚粉、大豆粕粉、コウモリの糞化石粉の全部又は一部にリン酸成分を有するエビ殻粉、骨粉の全部又は一部並びにカリウム成分を含む物質をそれぞれ窒素成分およびリン酸成分並びにカリウム成分の比が８：８：４〜６の所定の割合で混合し、粉砕した肥料であることを特徴とする請求項２記載の農業用マルチシート。
【請求項４】
上記肥料の構成要素である窒素成分、リン酸成分及びカリウム成分を８：８：４〜６の割合で混合するとき、又は粉砕するときに、ゼラニウム又はシトロネラをも所定量混入するようにした請求項３記載の農業用マルチシート。
【請求項５】
請求項１乃至４のいずれかに記載の農業用マルチシートに対して、対象の農作物に応じて適した間隔の種蒔き用又は苗植え付け用の孔を設けると共に、さらに、この孔とは別に複数個の通気用の孔を所定間隔を隔てて設けた上、農作物を生育する畑のうね等の農地に敷設するようにしたことを特徴とする農業用マルチシートの使用方法。
【発明の詳細な説明】
【０００１】
【発明の属する技術分野】
本発明は、固形粒子状肥料を含有した農業用マルチシート及びその使用方法に関するものであり、さらに詳しくは、農作物の露地栽培あるいはハウス栽培などに利用でき、水田や畑の土壌面に敷いて使用する農作物マルチシート及びその使用方法に関するものである。
【０００２】
【従来の技術】
従来から地温上昇、防草などを目的として、培地を被覆資材で被覆する方法は知られており、被覆資材としては、高分子樹脂フィルムや合成繊維を樹脂接着せしめた不織布が公知である。
しかしながら、従来の被覆資材を実用に供した場合、地温上昇、防草は確かに認められるけれども、次のような欠点のあることが明らかとなった。
（１）従来の被覆資材である高分子樹脂フィルムは、透水性が全くなく、また、合成繊維を樹脂接着せしめた不織布も、透水性が著しく劣っているため、雨水や散水は、土壌に浸透しにくいこと。また、十分な酸素の供給が得られないこと。
（２）従来の被覆資材は、著しく耐蝕性であるため、作物栽培後は、培地から剥ぎ取り、廃棄物として処理しなければならないこと。
【０００３】
これらの問題点を解決する方法として、特開昭５１−１１４２２８号公報は、合成樹脂繊維と木材パルプあるいは不織布よりなるシートに、被覆肥料（例えば、燐硝安系肥料を樹脂で被覆した肥料）とエマルジョン型ポリウレタン系樹脂とを混合して肥料混合物をつくり、前記シートの表面に塗布、乾燥して製造した被覆資材を開示している。
しかしながら、この方法では、被覆資材中の木材パルプは、生分解されるものの、それ以外の合成樹脂繊維や不織布は、土壌中に残存することになり好ましくない。
【０００４】
また、特開平６−６２６８０号公報は、従来、農業用マルチシートとして用いられていたビニルシートは、使用後の廃棄処分に際して、焼却すれば有害な塩素ガスなどが発生し、且つ黒煙を出したりするので、公害防止の見地から焼却できず、また、土壌中に混入しても、土壌菌や微生物により分解できないために、環境保全の上から大変な問題点を抱えていたとして、木材パルプを原料とする紙からなる支持体に、カーボンブラックおよび水不溶性の結着剤からなる光遮蔽層と、キトサンもしくはその誘導体を主成分として含有するキトサン主材材料層を設けた農業用マルチシートを開示している。
しかしながら、この方法も、下記の点で不適当である。即ち、カーボンブラックを紙面又は紙中に保持させるために多量のバインダーが必要とされる。不透明にする効果は高く樹脂フィルムからなるシートの代換え品とはなるが、紙としては含浸又は、樹脂を塗布した紙となり、分解性に問題が残る。また、通気性、透水性が農業用マルチシートとしては不十分である。
【０００５】
【発明が解決しようとする課題】
上記の課題を解決するための本発明は、パルプと固形粒子を主構成要素としてなる通気性に優れた農業用マルチシートであって、これを実用に供した場合、地温上昇、防草効果はもとより、固形粒子を肥料として使用した場合には、生分解可能な農業用マルチシートとして有用なものである。
【０００６】
【課題を解決するための手段】
本発明者は、以上のような問題点を解決するため鋭意検討した結果、以下の発明に至った。
【０００７】
即ち、本発明は、パルプと固形粒子を主構成要素とするシートにおいて、固形粒子の大きさが、ふるい残渣試験法（ＪＩＳ  Ｋ００６９）で、ふるい目開き１．０ｍｍ残渣が０（ゼロ）であって、ふるい目開き１．０ｍｍを通過し、且つ、ふるい目開き０．１４９ｍｍ残渣が４０〜６０重量％であることを特徴とする農業用マルチシートである。
【０００８】
また、上記の発明において、固形粒子が、固体形態を有する肥料である農業用マルチシートの発明である。
【０００９】
また、上記の発明において、肥料が、窒素成分を有する魚粉、大豆粕粉、コウモリの糞化石粉の全部又は一部にリン酸成分を有するエビ殻粉、骨粉の全部又は一部並びにカリウム成分を含む物質をそれぞれ窒素成分およびリン酸成分並びにカリウム成分の比が８：８：４〜６の所定の割合で混合し、粉砕した農業用マルチシートの発明である。
【００１０】
また、上記の発明において、肥料の構成要素である窒素成分、リン酸成分及びカリウム成分を８：８：４〜６の割合で混合するとき、又はその後の粉砕工程で、ゼラニウム又はシトロネラをも所定量混入するようにした農業用マルチシートの発明である。
【００１１】
さらに、上記の農業用マルチシートのいずれかに対して、対象の農作物に応じて適した間隔の種蒔き用又は苗植え付け用の孔を設けると共に、さらに、この孔とは別に複数個の通気用小孔を所定間隔を隔てて設けた上、農作物を生育する畑のうね等の農地に敷設するようにした農業用マルチシートの使用方法の発明である。
【００１２】
【発明の実施の形態】
以下、本発明の農業用マルチシートについて、詳細に説明する。
第１の実施の形態：
本発明における農業用マルチシートの特徴は、パルプと固形粒子を主構成要素としてなる通気性に優れた農業用マルチシートであって、地温上昇、防草効果はもとより、固形粒子を肥料として使用した場合には、生分解可能な農業用マルチシートとして機能する、これまでに用いられてきた農業用マルチシートの種々の欠点を改良した、他に例を見ない好適な農業用マルチシートの提供を可能ならしめたものである。
即ち、農業用マルチシートを例えば、畑の土壌面に敷いて使用する場合、適度の重量がないと土壌との密着性が不十分となり、また、風に飛ばされやすいなどの不都合が生じる。
【００１３】
本発明における農業用マルチシートは、適度な重量を持つ固形粒子を含有するために、土壌との密着性が十分になされ、また、風に飛ばされるおそれも極めて少ない。さらに、適度な通気性を有しているので、その効果は、一層倍加される。また、さらに、適度の乾燥強度および湿潤強度を有している故に、風雨によって破損することはほとんどない。勿論、これまでにも農業用マルチシートの効用として要求される地温上昇、防草などの目的も十分達成される。
【００１４】
本発明の農業用マルチシートに用いられる固形粒子の大きさは、ふるい残渣試験法（ＪＩＳ  Ｋ００６９）で、ふるい目開き１．０ｍｍ残渣が０（ゼロ）であって、ふるい目開き１．０ｍｍを通過し、且つ、ふるい目開き０．１４９ｍｍ残渣が４０〜６０重量％であることを特徴とする農業用マルチシートである。
【００１５】
固形粒子の大きさが、ふるい目開き１．０ｍｍ以上の固形粒子であると、抄造時、抄き込むことが極めて困難である。また、ふるい目開き０．１４９ｍｍ残渣が、４０重量％未満であると、十分な通気性を確保できない。また、ふるい目開き０．１４９ｍｍ残渣が、６０重量％を越えると、農業用マルチシートとしての強度の確保および良好な地合の形成がとれなくなる。
【００１６】
本発明の農業用マルチシートにおける固形粒子としては、固体形態を有する肥料であることが特に好ましい。
【００１７】
一般に、現在使用されている肥料の多くは化学肥料である。化学肥料の特徴として、水溶性、速効性がかかげられる。しかしながら、本発明のシートを形成する手段の主流となる手法は、パルプスリラー中に固形粒子を分散せしめ抄紙する方法又は固形粒子と適当なバインダーと混合した塗布液をパルプシート上に塗布する方法である。いずれの方法においても、化学肥料であると水中に有効成分が溶解し易く、その結果、固形粒子という形態を維持できなくなる傾向がある。そこで、有効な固形肥料としては、有機質肥料が挙げられる。
有機質肥料としては、魚肥、油かす類、骨粉類、グアノ、緑肥、鶏ふん、動物の排泄物、動物の解体残渣である内蔵、皮、毛、血液等があげられるが、これらをそのまま、シート中に存在させることは不可能な場合が多いので、濃縮、乾燥、不溶化、粒状化等の前処理を行う必要があるのは当然である。
【００１８】
本発明の農業用マルチシートにおいて、固形粒子として用いられる固体形態を有する肥料としては、窒素成分を有する魚粉、大豆粕粉、コウモリの糞化石粉の全部又は一部にリン酸成分を有するエビ殻粉、骨粉の全部又は一部並びにカリウム成分を含む物質をそれぞれ窒素成分およびリン酸成分並びにカリウム成分の比が８：８：４〜６の所定の割合で混合し、粉砕したものが、好ましい実施の形態である。
なお、これらの窒素成分及びリン酸成分並びにカリウム成分を混合時又は粉砕時に、さらにゼラニウム又はシトロネラを所定量混入すると肥料に防虫効果（抗菌効果）が付加されるので最も好ましい実施の形態である。
この場合、ゼラニウム又はシトロネラは精油の形態のものを用いて混入するようにすると、混入前のゼラニウム又はシトロネラの長期の保管において、これらが環境温度に対して変質しないので便利である。
【００１９】
本発明の農業用マルチシートにおける主構成要素であるパルプは、漂白又は未漂白木材パルプ、非木材パルプなど、当業界において公知、公用のものが使用可能であり、あらゆる古紙パルプを用いることができ、資源再利用の面から、環境にやさしい農業用マルチシートの提供が可能である。
【００２０】
本発明の農業用マルチシートにおける他の一つの主構成要素である固形粒子は、固形粒子であれば、如何なるものであってもよく、地温上昇、防草などを目的とした被覆資材として十分機能するものである。また、固形粒子を固体形態を有する肥料として使用すれば、農作物の露地栽培あるいはハウス栽培、さらには、水田や畑の土壌面に敷いて用いる肥料含有農業用マルチシートとして、有用に機能するものである。
【００２１】
本発明における農業用マルチシートは、パルプと固形粒子好ましくは肥料を主構成要素としているため、生分解性に優れている。従って、例えば、畑の土壌面に敷いて使用した場合、経時につれて、肥料が土壌中に浸透し、作物に養分を与えると共に、パルプも作物には殆ど悪影響を及ぼさない無害な物質に生分解される。
【００２２】
従って、農業用マルチシートの最大の問題点であった作物成育後のシートの焼却は、全く必要がない。それ故、本発明における農業用マルチシートは、環境汚染のない、極めて好適な農業用マルチシートの提供を可能ならしめたのものである。
【００２３】
経時後、さらに農業用マルチシートの上から、施肥を追加する場合でも、いちいち、農業用マルチシートを剥ぎ取って行う必要もなく、そのまま、農業用マルチシートの上から施肥すればよいので、作業効率も格段に向上する。
【００２４】
本発明における農業用マルチシートの使用形態としては、例えば畑の場合には、土壌面に直接敷いて使用してもよいし、また、農業用マルチシートを土壌面に敷いた上に培土をかぶせて使用してもよい。
【００２５】
実用に供する農業用マルチシートは、低秤量では土壌との密着性が劣ったり、風により飛ばされることなどから、本発明における農業用マルチシートの秤量は、７０ｇ／ｍ2以上である。
【００２６】
本発明の農業用マルチシートに使用されるパルプの最低必要量としては、４０ｇ／ｍ2であり、これより少ないと農業用マルチシートとしての強度が不十分となる。
【００２７】
本発明の農業用マルチシートを製造するには、パルプと固形粒子好ましくは肥料を主構成要素として、抄き込み用スラリーを調製して、長網抄紙機、長網・円網組み合わせ抄紙機、傾斜型抄紙機、抄き合わせ型抄紙機など、各種の抄紙機により抄造される。この際、抄紙後、農業用マルチシートから固形粒子好ましくは肥料が剥落しないように、適宜各種のバインダーを用いることができる。
【００２８】
バインダーとしては、澱粉、各種の変性澱粉、ポリビニルアルコール、カルボキシメチルセルローズ、ポリアクリルアマイド、キトサンなど、公知の各種水溶性バインダーが使用される。
【００２９】
本発明において使用される固形粒子としては、堆積岩、火成岩、変成岩などの各種岩石および鉱石を粉砕したものが用いられる。
また、各種の化石を粉砕したものも用いられる。さらに、例えば重質炭酸カルシウム、軽質炭酸カルシウム、炭酸マグネシウム、クレー、カオリン、焼成カオリン、タルク、硫酸カルシウム、珪酸アルミニウム、ケイソウ土、珪酸カルシウム、珪酸マグネシウム、合成非晶質シリカ、アルミナ、酸化チタン、水酸化アルミニウム、ゼオライト、加水ハロイサイト、水酸化マグネシウムなどの無機顔料や活性炭などが単独に、又は混合して使用される。
さらに、消臭効果を付与するために、公知の各種の吸着剤も使用できる。
【００３０】
また、本発明の農業用マルチシートを抄造する際は、各種の薬品を使用してもよい。
内添サイズ剤としては、ロジン系サイズ剤、アルケニル無水コハク酸、アルキルケテンダイマー、石油樹脂系サイズ剤などが使用できる。
【００３１】
さらに、表面サイズ剤も必要に応じて用いられ、酸化澱粉、燐酸エステル化澱粉、カチオン化澱粉などの各種変性澱粉、ポリエチレンオキサイド、ポリアクリルアマイド、アルギン酸ソーダ、ヒドロキシメチルセルロース、メチルセルロース、ポリビニルアルコール、又は、それらの誘導体などを単独或いは併用して使用することができる。
【００３２】
本発明において、紙料中には、その他の添加剤として、顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤などを本発明の所望の効果を損なわない範囲で、適宜配合することもできる。
【００３３】
本発明の農業用マルチシートを抄造する際、増粘剤として、特にトロロアオイや各種重合度、粘度のポリアクリルアマイドなどが、好適に使用される。
【００３４】
本発明の農業用マルチシート中に、パルプと共に固形粒子好ましくは肥料を含有させる方法としては、上記の抄き込み法の外に、各種の塗布方法も実施できる。
例えば、パルプからなる紙を、予め抄造した後、紙面の少なくとも一方の面に、不透明な固形粒子好ましくは肥料を、バインダーと共に塗布すればよい。
また、パルプからなる紙を予め抄造した後、固形粒子好ましくは肥料とバインダーを含む分散液を入れた浴槽中に浸ける、いわゆる含浸塗布を行ってもよい。
また、パルプからなる紙を予め抄造した後、紙面の少なくとも一方の面に、バインダーを塗布し、さらにその上に固形粒子好ましくは肥料をばらまく、いわゆる散布塗布を行ってもよい。
【００３５】
上記の各種塗布方法においては、［００２８］に記載したような各種のバインダーが用いられる。
【００３６】
本発明の農業用マルチシートとしての秤量は、７０〜３００ｇ／ｍ2程度が好適である。７０ｇ／ｍ2未満であると、土壌面との適度な密着性、適度な強度、適度な通気性および透水性などが得られない。
また、３００ｇ／ｍ2を越えると、巻取りの径が大きくなり過ぎ、搬送、取扱いなどに不都合をきたすばかりでなく、経済的にも不利益となる。
【００３７】
通常の成分による農業用マルチシートの色彩は茶色であるので、入射効率を大とする必要のある冷寒地用としては、黒色とするための手段として、例えば黒色塗料を塗布又は混入し、黒色とするのが望ましい。
【００３８】
第２の実施の形態：
次に、このようにして得られた農業用マルチシート１を農地の肥料として用いる使用方法の一実施の形態について図１を用いて説明する。
同図に示すように、まず、農業用マルチシート１に対して種蒔き用又は苗植え付け用の孔Ｈ1〜Ｈ8を等間隔に設ける。なお、孔の数は８個に限定されない。
この場合、各孔Ｈ1〜Ｈ8の間隔は、この合成肥料紙を用いる場所で生育する農作物の種別（キャベツ、レタス、ピーマン、ナス、トマト等）によって最適の間隔となるようにするが、例えば、４５ｃｍ程度とすることが考えられる。
また、各孔Ｈ1〜Ｈ8の直径の大きさは、１５ｃｍ程度が適当である。
２ａ1〜２ａ4は夫々４個の孔Ｈ1、Ｈ2、Ｈ5、Ｈ6で囲まれた中間部分Ｎ1に図示のように複数個、等間隔で配置される通気性の孔で、各孔２ａ1〜２ａ4の直径の大きさは、例えば３〜５ｍｍ程度とすることが考えられる。
なお、この各孔２ａ1〜２ａ4の大きさはそれらの孔の数や間隔の増減により、前記値より小又は大に調整されることになる。
この通気性の孔は、他の隣接する種蒔き用又は植え付け用の各中間部間Ｎ2、Ｎ3に対しても図示のように２ｂ1〜２ｂ4、２ｃ1〜２ｃ4を前記孔２ａ1〜２ａ4に準じて設けるものとする。
【００３９】
このような種蒔き用又は苗植え付け用の孔Ｈ1〜Ｈ8が形成された農業用マルチシート１を対象とする畑のうねの長さに切断したものを、各うね部分に配置し、農業用マルチシート１の４隅及び側面の適所に土を載せる等して固定した後、各孔Ｈ1〜Ｈ8の部分の土壌に対して農作物の種をまく又は苗を植え付ける。
なお、農業用マルチシート１を固定するために、上記のように土を載せる手段に代えて、農業用マルチシート１の両側の側面部に、竹片による簡単な垣根を設けるようにしても良い。
【００４０】
このようにして畑の各うね部分に農業用マルチシート１を配置し、固定すれば、畑の土に含有されている水によって、農業用マルチシート１は畑のうね部分にくっつき、土と一体化し、これらの農業用マルチシート１に含有されている前述した合成肥料の各成分が時間の経過と共に、配置された土壌に溶け込んで土壌に栄養を与えるという肥料として有効な働きをする。
また、これらの農作物の種が撒かれた部分や苗が植え付けれた部分には、適当な大きさの孔が設けられているので、太陽光線が入射し、通常の農業の場合と同様に光合成の作用によって農作物は生育する。この場合、通気性の各孔２ａ1〜２ａ4を通じて、必要な空気（酸素）がマルチシートの下面の土壌に供給される。
一方、農業用マルチシート１が自然に農地に溶けきるまでは、うねを覆って、太陽光線を遮断して光合成の作用を妨げると共に温度を上昇させることにより、雑草の生育や、害虫の侵入やその活動を防止する効果もある。特に、ゼラニウム又はシトラネを混入して生成した農業用マルチシート１では、防虫効果（抗菌効果）は大である。
なお、本実施の形態では、本発明の農業用マルチシート１を畑に設置する場合を説明したが、田地に適用しても有効である。
【００４１】
【実施例】
以下に、本発明の実施例を挙げて説明するが、本発明はこれらの実施例に限定されるものではない。また、実施例において示す「部」および「％」は、特に明示しない限り、重量部および重量％であり、重量は絶乾重量を示す。
【００４２】
実施例１〜３および比較例１〜３
古紙パルプ（新聞古紙：段ボール古紙＝７：３）：針葉樹未漂白クラフトパルプ（ＮＵＫＰ）＝８：２をパルパー中で十分離解してパルプスラリーを得た。
これに、両性澱粉を２．０％（固形分）を加え、さらに表１のＡ、Ｂ欄に記載の各粒子径範囲を持つ炭酸カルシウムを、パルプ：炭酸カルシウムが４：６となるように加え、この混合スラリーを長網抄紙機を用いて２００ｇ／ｍ2となるように抄造し、前記粒子径範囲の種別によって実施例１〜３および比較例１〜３の農業用マルチシート用の試料を得た。
このようにして得られた６種類の試料（実施例１〜３、比較例１〜３）について、試験した結果を図２の表１のＣ〜Ｅ欄に記載した。
【００４３】
実施例４および比較例４
炭酸カルシウムの代わりに、固体形態を有する市販の複合肥料の内、表１のＡ、Ｂ欄に記載の粒子径範囲のものを用いて生成したものを比較例４とした。
また、市販の複合肥料をふるい分けして１ｍｍ残渣のものを粉砕し、１ｍｍ通過分として表１のＡ、Ｂ欄に記載の粒子径範囲を持つ固形粒子として使用したものを実施例４とした。これ以外は、実施例１と同様にして、農業用マルチシート用の試料を得た。このようにして得られた２種類の試料（実施例４、比較例４）について、試験した結果を図２の表１のＣ〜Ｅ欄に記載した。
【００４４】
実施例５
実施例１における炭酸カルシウムの代わりに、魚粉、大豆粕粉、コウモリの糞化石粉、エビ殻粉および骨粉よりなる肥料を粉砕し、表１のＡ、Ｂ欄に記載の粒子径範囲を持つ固形粒子に調製した。この混合肥料をパルプ：混合肥料が４：６となるようにした混合スラリーを円網抄紙機を用いて２００ｇ／ｍ2となるように抄造した後、５％塩化カリウム水溶液を用いてサイズプレスを行い、得られた試料を実施例５とした。
この試料を分析した結果、窒素成分：リン酸成分：カリウム成分が８．２：８．４：５．１であった。このようにして得られた実施例５の試料について、試験した結果を図２の表１のＣ〜Ｅ欄に記載した。
【００４５】
上記の実施例および比較例における粒子径範囲とは、以下のとおりである。
即ち、ふるい目開き１．０ｍｍ通過分を、さらに、ふるい目開き０．１４９ｍｍ通過分（０．１４９ｍｍ通過分と称する）と残渣（０．１４９ｍｍ残渣分と称する）に分ける。ふるい目開き１．０ｍｍ残渣を、さらに、ふるい目開き２．０ｍｍを通し、その通過分を１．０ｍｍ残渣と称する。これらを組み合わせて、目標の粒子径範囲を持つ固形粒子を作る。
特に断らない限り０．１４９ｍｍ残渣で表現し、これには１．０ｍｍ残渣は含まないものとする。
【００４６】
＜備考欄の説明＞
図２の表１の備考欄に記載した＊印及び＊＊印は夫々次の内容を意味するものである。
＊：抄造時、網に粒子が刺さり、長時間抄造が不能であった。
＊＊：抄造時、バットに粗大な粒子が溜まった。
【００４７】
＜試験方法＞
本明細書の［００４２］〜［００４４］で得られた各試料（実施例１〜５、比較例１〜４）について、以下に記載の試験方法を用いて、評価した。
（１）通気性評価
通気性評価は、通気性試験機ＫＥＳ−Ｆ８−ＡＰ１を用いて測定し、その測定値をフラジール型通気度に換算した。
単位はｃｃ／ｃｍ2／ｓｅｃである。
実用可能な値は０．５ｃｃ／ｃｍ2／ｓｅｃ以上である。
（２）透水性評価
透水性評価は、ロート法を用いて、評価した。
即ち、直径１２５ｍｍ円にシートを断裁し、４つ折りにし三角ロートに入れ、シートを十分に湿潤させた後、蒸留水４０ｃｃをシート上に注ぎ、水がシート上からなくなるまでの時間を測定した。
実用可能な値は３分以内である。
（３）地合評価
地合評価は、抄紙後のシートを目視評価して、下記のとおりグレード付けを行った。
○  問題なし
×  強度面で問題が出る。また、通気性、透水性が不均一となる。
【００４８】
＜評価結果＞
表１の結果から、本発明の実施例１〜３は、通気性、透水性とも、実用可能な値をクリアーし、また、地合も良好なものが得られた。
一方、炭酸カルシウムの粒子径が、０．１４９ｍｍ残渣分が３５％である比較例１は、地合は良いものの、通気性および透水性が実用可能な値に達せず、また、０．１４９ｍｍ残渣分が６５％である比較例２は、通気性および透水性は良いものの、地合が実用可能な値に達しないことが解る。
さらに、０．１４９ｍｍ残渣分が４０％であるが、１．０ｍｍ残渣分が１０％含有した比較例３は、通気度、透水性は良いものの、地合が悪く、しかも抄造時、網に粒子が刺さり、長時間抄造が不能であった。
また、市販の複合肥料を粉砕して、０．１４９ｍｍ残渣分が５５％となるように調製して用いた実施例４は、通気性、透水性、地合とも、良好な結果が得られることが解る。
一方、市販の複合肥料をそのまま使用した比較例４は、通気性、透水性は良いものの、地合が悪く、しかも抄造時、バットに粗大な粒子が溜まり、操業上問題があった。
さらに、市販の複合肥料の代わりに、魚粉、大豆粕粉、コウモリの糞化石粉、エビ殻粉および骨粉よりなる肥料を粉砕し、表１記載の粒子径範囲を持つ固形粒子に調製した本明細書の［００４４］欄に記載の成分配合比よりなる混合肥料を用いた実施例５は、通気性、透水性、地合の全ての特性に亙って、優れた結果が得られることが解る。
【００４９】
【発明の効果】
本発明の農業用シートは上記のように構成されるから、次のような優れた効果を有する。
▲１▼固形粒子であって、特定の粒子径分布を持ち、且つ、特定量シート中に含有させているから、通気性、透水性、地合などの特性に優れ、地温上昇、防草用に好適であり、しかも焼却処分を必要としない点で優れている。
▲２▼さらに、固形粒子として、固体形態を有する肥料、特に、窒素成分、リン酸成分およびカリウム成分比が、特定成分比になるように粉砕した骨粉とコウモリ糞化石などの混合物を用いた場合には、それを加えて、そのまま肥料として機能する農業用マルチシートとして極めて好適である。
▲３▼この場合、農業用マルチシートの成分中にゼラニウム又はシトロネラを混入したものでは、特に防虫効果（抗菌効果）が顕著である。
▲４▼また、農業用マルチシートを黒色にした場合には、太陽光線の入射効率が向上するので、冷寒地においても太陽熱の十分な吸収を行うことができるから、農業用マルチシート内の地面を適正な地温とすることができる。
▲５▼さらに、農業用マルチシートに対して、図１に示すような複数個の通気孔を所定間隔で設けるようにすると、農業用マルチシート内の蒔かれた農作物に適正な酸素が供給がされるから農業用マルチシートによる遮蔽により酸欠状態を生じる恐れはない。
【図面の簡単な説明】
【図１】本発明の第２の実施の形態の構成を示す平面図である。
【図２】本発明の実施例１乃至３と比較例１乃至３との比較および実施例４と比較例４の比較並びに実施例５の実験値を表１として記載した図表である。
【符号の説明】
１：農業用マルチシート
Ｈ1〜Ｈ8：種蒔き又は植え付け用の孔
Ｎ1〜Ｎ3：中間部分
２ａ1〜２ｃ4：通気孔
【図１】
0003756620.tif 000002
【図２】
0003756620.tif 000003